(57)【特許請求の範囲】
【請求項１】
ハンドル部（１３）と、髪を加熱する加熱部（１２）と、開状態から閉状態へ可動である保持部材（１）とを有し、髪が前記加熱部（１２）と前記保持部材（１）間に挟置されるよう構成されるヘアスタイリング器具であって、
前記加熱部（１２）と前記保持部材（１）間に、髪に圧力を付与する加圧部材（２）が設けられ、前記加圧部材（２）がヘアスタイリング器具上に弾力的に保持されており、
前記加圧部材（２）は、前記保持部材（１）上に保持され、髪が前記加熱部（１２）と前記加圧部材（２）間に配置されるよう構成され、
閉状態時、前記保持部材（１）および／または保持部材（１）上にデザインされた作動レバー（４）が当接する止め部（５）を具備し、
前記保持部材（１）あるいは前記作動レバー（４）が前記止め部（５）に当接した際に、前記加圧部材（２）は、加圧部材（２）が前記加熱部（１２）あるいは前記保持部材（１）に当接する位置と、加圧部材（２）が間隙（ｚ）を作り出す位置との間を移動可能であることを特徴とする、ヘアスタイリング器具。
【請求項２】
ハンドル部（１３）と、髪を加熱する加熱部（１２）と、開状態から閉状態へ可動である保持部材（１）とを有し、髪が前記加熱部（１２）と前記保持部材（１）間に挟置されるよう構成されるヘアスタイリング器具であって、
前記加熱部（１２）と前記保持部材（１）間に、髪に圧力を付与する加圧部材（２）が設けられ、前記加圧部材（２）がヘアスタイリング器具上に弾力的に保持されており、
前記加圧部材（２）は、前記加熱部（１２）上に保持され、髪が前記保持部材（１）と前記加圧部材（２）間に配置されるよう構成され、
閉状態時、前記保持部材（１）および／または保持部材（１）上にデザインされた作動レバー（４）が当接する止め部（５）を具備し、
前記保持部材（１）あるいは前記作動レバー（４）が前記止め部（５）に当接した際に、前記加圧部材（２）は、加圧部材（２）が前記加熱部（１２）あるいは前記保持部材（１）に当接する位置と、加圧部材（２）が間隙（ｚ）を作り出す位置との間を移動可能であることを特徴とする、ヘアスタイリング器具。
【請求項３】
前記加熱部（１２）が軸を有するヘアスタイリング器具であって、前記加圧部材（２）を放射状に誘導する誘導手段（９）を具備することを特徴とする、請求項１又は２に記載のヘアスタイリング器具。
【請求項４】
前記加圧部材（２）は、加圧部材（２）の対向する端部に配設される２つのばね（７，８）によって保持されることを特徴とする、請求項１又は２に記載のヘアスタイリング器具。
【請求項５】
前記ばね（７，８）は放射方向に弾力を生ずるように設けられることを特徴とする、請求項４に記載のヘアスタイリング器具。
【請求項６】
最大間隙（ｚ）用の制限手段（１０）を具備することを特徴とする、請求項１又は２に記載のヘアスタイリング器具。
【請求項７】
前記保持部材（１）は、前記止め部（５）に付勢され、前記ばね（７，８）によって負荷されることを特徴とする、請求項４又は５に記載のヘアスタイリング器具。
【請求項８】
前記止め部（５）への前記保持部材（１）の圧力は、前記加圧部材（２）が髪に加える圧力以上であることを特徴とする、請求項７に記載のヘアスタイリング器具。
【請求項９】
前記加圧部材（２）は、着脱可能に取り付けられていることを特徴とする、請求項１又は２に記載のヘアスタイリング器具。
【発明の詳細な説明】
【０００１】
【発明の属する技術分野】
本発明はハンドル部と髪を加熱する加熱部と開状態から閉状態へ移動可能な保持部材とを有し、髪が加熱部と保持部材間に挟置されるよう構成されたヘアスタイリング器具に関する。
【０００２】
【従来の技術】
この種のヘアスタイリング器具は米国特許第４，４２６，５６７号に開示されている。この特許によれば、ハンドル部が具備され、そのハンドル部に電気作動の加熱要素が保持される。加熱要素は伸長した形状を有し、髪の加熱に使用される。鋏状の締付部材がハンドル部と加熱部間の略遷移領域に回動可能に取り付けられる。締付部材も伸長した形状を有し、その形状が加熱要素に適合するよう形成されている。締付部材は作動レバーを介して閉状態から開状態へ回転可能である。開状態時、髪は加熱要素と締付部材間に挟置可能である。次に髪は加熱要素に巻回され、以下のようにスタイリング可能となる。
【０００３】
加熱要素と締付部材間に髪が配置されると、閉状態時、髪は締付部材によって加熱要素に押圧される。髪に付与される圧力は髪と傾斜軸間の距離によって決まる。従って、傾斜軸に隣接した髪には離隔した髪より高い圧力が作用する。これによって従来のヘアスタイリング器具は、締付部材の全長にわたって髪を加熱要素に均等押圧することが不可能であった。
【０００４】
【発明が解決しようとする課題】
本発明の目的は髪を加熱胴部に均等に押付可能なヘアスタイリング要素を提供することである。
【０００５】
【課題を解決するための手段】
本発明によれば、この目的は上記種類のヘアスタイリング要素において、加熱部と保持部材間に配置される髪に圧力を付与し、ヘアスタイリング器具上に弾力的に保持される加圧部材を備えることによって達成される。従って、髪に圧力を付与するため、保持部材とは無関係な別個の加圧部材を備える。これは圧力も保持部材とは無関係となり有利である。このため押圧される髪が傾斜軸からどの位離隔しているかは傾斜可能な保持部材にとって問題にならなくなる一方、加圧部材によって髪は保持部材の全長にわたって均等な圧力が加えられる。髪に均等な圧力を加えるのは、上記のように加熱部と保持部材間に設けられた弾力性加圧部材によってなされる。これは別の方法で実施してもよい。
【０００６】
例えば、弾性変形可能な加圧部材を備えてもよく、この加圧部材はヘアスタイリング器具に挿入された髪によって押し戻される構成である。この場合、圧力は加圧部材の変形性あるいは弾性によって決まる。また、ヘアスタイリング器具に挿入された髪によって、圧力ばね或いはコイルばね、板ばね、弾性あるいは弾力ゴム要素、又はそれに類似した要素として構成されたばねが圧縮され、これによって加圧部材に変位が生ずるように、弾力的に加圧部材を支持することが可能である。この場合、圧力はばねの弾性率によって決まる。これは加圧部材によって付与される圧力が所望に応じて調節可能であるという利点に達する。従って、圧力は例えば加圧部材自身の変形性あるいは弾性に、又は加圧部材の取付支持部を備えるばねの弾性率に左右されることになる。上述のように、圧力の調節はいずれの場合も保持部材とは無関係である。従って、加熱部と保持部材間に配設され、髪に圧力を付与する加圧部材を有するヘアスタイリング器具が得られ、これによって、所定の圧力を均等に髪に加えることが可能となる。
【０００７】
請求項２による本発明の好ましい実施例によれば、加圧部材は保持部材上に弾力的に保持され、髪は加熱部と加圧部材間に配置可能である。従って、加圧部材は保持部材に結合され、その保持部材と共にユニットを構成する。この場合、髪は加熱部と加圧部材間に配置され、加熱部あるいは加圧部材と保持部材に巻回可能となる。本実施例の利点はその単純な構造にある。さらに本実施例のヘアスタイリング器具は操作が特に容易である。
【０００８】
本発明のもう一つの好ましい実施例によれば、加圧部材は加熱部上に弾力的に保持され、髪は保持部材と加圧部材（請求項３）間に配置可能である。従って加圧部材は加熱部に連結される。これは実施されることがあるが、例えば加圧部材は加熱部に一体化され、必要ならば加熱されることもあるからである。この場合、髪は加圧部材と保持部材間に配置される。本実施例のヘアスタイリング器具によれば、従来のヘアスタイリング器具と比べて外観と操作上の相違がほとんどなく有利である。
【０００９】
請求項４の特徴による本発明の好ましい態様によれば、加熱部が軸を有する態様であって、加圧部材を放射状に誘導する誘導手段を備える。加熱部は例えば伸長した加熱胴部として構成される。胴部に対して放射状である加圧部材を誘導することで、特に均等な圧力をその加圧部材によって髪に加えることができる。このように、特に加圧部材が保持部材に連結されている場合、髪は保持部材の全長にわたって加熱部に均等押圧される。
【００１０】
請求項５の特徴による本発明の好ましい態様によれば、加圧部材は特に加圧部材の対向する端部に装着された２つのばね、ゴム要素、あるいはそれに類似した弾性手段等で取り付けられる。従って、負荷が片側にかかった場合でも、加圧部材は髪に略均等な圧力を付与する。これによってかかる圧力はさらに均等になる。
【００１１】
ばねが放射方向に弾力を生ずるよう配設されていると特に望ましい（請求項６）。これによって特に髪に対する弾力の影響を予め比較的正確に規定可能となる。弾力、従って髪に作用する圧力の正確かつ再現可能な調節が容易になる。
【００１２】
請求項７の特徴による本発明の特に好ましい実施例のヘアスタイリング器具によれば、閉状態時に保持部材が当接する止め部が具備される。
【００１３】
この止め部はヘアスタイリング器具（請求項８）の自由端、すなわち例えば傾斜軸から離隔した回動可能な保持部材の端部に隣接して具備してよい。しかし、止め部はヘアスタイリング器具のハンドル部、すなわち例えば保持部材に接続された作動レバーに隣接する回動可能な保持部材に隣接して具備することもできる。特に後者の可能態様においては、止め部はあご部あるいはその類似要素として構成可能である。
【００１４】
本発明の好ましい態様によれば、保持部材が止め部に当接する際に、加圧部材は、その加圧部材が加熱部あるいは保持部材に当接する位置と、加圧部材が間隙を作り出す位置との間を移動可能である。
【００１５】
ヘアスタイリング器具に髪が挿入されていない状態では、閉状態時、加圧部材は保持部材あるいは加熱部を押圧する。保持部材が開状態となると、髪はヘアスタイリング器具に挿入可能となる。加圧部材が保持部材に装着されている場合、保持部材が閉状態の時に、加圧部材は髪によって保持部材の方向へ戻され、上述の間隙が開く。次に髪は加圧部材と加熱部間に押圧される。逆に加圧部材が加熱部の構成部分である場合、保持部材が閉状態の時に、加圧部材は加熱部の方向へ戻され、上述の間隙が開く。次いで、髪は加圧部材と保持部材間に押圧される。
【００１６】
いずれの場合も髪に付与される圧力は保持部材とはまったく無関係である。これは止め部を押圧している保持部材に起因する。保持部材に作用するばね或いはその類似要素は、保持部材を止め部に付勢するという作用のみを有する。しかし、止め部によって、ばねが髪に圧力を加えるという点では作用を及ぼすことはない。上述のように、髪に付与される圧力は保持部材とは無関係であり、換言すれば加圧部材とその構成のみによって決まる。
【００１７】
最大間隙用の制限手段を具備すると特に望ましい（請求項９）。あまり多く髪をヘアスタイリング器具に挿入すると、保持部材が閉状態の時、加圧部材は制限手段に押圧される。このため、保持部材は止め部から浮き上がり、従ってヘアスタイリング器具は髪によって再度開放される。これによって、過剰な量の髪をヘアスタイリング器具に挿入することが防止される。あるいは使用者にとって少なくとも同様の状況となる。
【００１８】
請求項１１の特徴によると、止め部への保持部材の圧力は加圧部材が髪に加える圧力以上であることが望ましい。このようにして、まず第一に加圧部材がヘアスタイリング器具に挿入された髪によって常に押し戻され、次にはじめて、あまり多く髪を挿入した場合保持部材が浮き上がり開放されるという構成が達成される。複数のばねが用いられる場合、圧力は弾性率によって別々に調節可能である。また使用者がばねの圧力をそれぞれ調節可能であり有利である。例えば、ねじ或いはその類似要素といった対応調節手段のばね付勢はそれぞれ変更可能である。
【００１９】
請求項１２による本発明の好ましい態様によれば、加圧部材は着脱可能に装着されている。これによって、例えば洗浄あるいは交換のため加圧部材を取外し可能となる。同様に異なる構成の実施例、特に異なる形状の加圧部材を用いることも可能である。
【００２０】
本発明のさらなる特徴、考え得る用途、利点等は添付図面の各図に図示された本発明の実施例の説明の中で述べられる。記述あるいは図示された特徴はすべて、あるいは如何なる所望の組み合わせにおいても、特許請求の範囲あるいは付帯権利に係る組み合わせにかかわらず、また説明あるいは図面に係る記載あるいは表現にかかわらず、本発明の目的を示すものである。
【００２１】
【発明の実施の形態】
ヘアスタイリング器具は通常ハンドル部１３と加熱部１２とから成る。加熱部１２（点線で表示）はハンドル部１３に装着され、電気加熱あるいはガス作動可能である。加熱部１２は略円形断面の伸長した加熱胴部として構成される。ヘアスタイリング器具の長手方向の軸は加熱部１２によって規定される。
【００２２】
図１，２の実施例は保持部材１と保持部材１に連結された加圧部材２を示す。保持部材１と加圧部材２は伸長した形状を有し、長さは加熱部の長さに略等しい。保持部材１と加圧部材２は互いに接続され、この点から見てユニットを形成している。
【００２３】
保持部材１は加熱部１２とハンドル部１３間の略遷移領域に軸受３を介して回動可能に取り付けられている。さらに、保持部材１は作動レバー４を有し、その作動レバー４はハンドル部１３に隣接して設けられ、ハンドル部１３に連結されている。作動レバー４を介して、加圧部材２を有する保持部材１を閉状態から開状態また開状態から閉状態へ移動可能である。閉状態時、加圧部材２を有する保持部材１は加熱部を押圧する。開状態時、加圧部材２を有する保持部材１は加熱部１２から離隔する方向に揺動し、加熱部１２に当接しない。
【００２４】
作動レバー４に隣接してばね（表示せず）が具備され、保持部材１がばねによって常に閉状態に付勢されるように、そのばねはハンドル部１３と作動レバー４に支持されている。さらに、保持部材１の自由端に隣接して加熱胴部１２に止め部５が具備され、閉状態時にその止め部に保持部材１が当接する。止め部５については特に図１が参照に適している。作動レバー４に作用する上述のばねを設けたので、閉状態時、保持部材１はばねの弾性率によって決まる圧力によって止め部５に付勢される。止め部５に代えて、保持部材１に結合されるあご部（表示せず）又は類似要素をハンドル部１３および作動レバー４に隣接して具備してもよい。
【００２５】
加圧部材２は伸長した形状を有し、断面円弧状が好ましい。特に図２が参照に適している。言うまでもなく、加熱部１２の形状に合った別の形状であってもよい。閉状態時、加圧部材２はその表面６で加熱部１２を押圧する。このため、表面６の形状は加熱部１２に合わせて形成される。
【００２６】
加圧部材２は特に２つ以上のばね７，８を介して保持部材１に接続される。ばね７、８は加圧部材２の両端、従って保持部材１の両端にも隣接して設けられる。さらに、ばね７，８は加熱部１２の長手方向の軸に対して略放射状に、従って加圧部材２に対しても略放射状に置かれる。ばね７，８は例えば保持部材１および加圧部材２から突出しているピンに係合される。これによって、加圧部材２は保持部材１から着脱可能となり、必要に応じて取外しや交換が可能となる。
【００２７】
保持部材１および加圧部材２はいずれの場合も両端に誘導手段９を有し、その誘導手段９によって加圧部材２は放射方向に誘導される。これによって、加圧部材２は放射方向に移動可能となる。特に図１が参照に適している。また、誘導手段９の対応した構成によって、長手方向の軸を中心とした加圧部材２のある程度の傾斜性を達成可能である。
【００２８】
保持部材１の開状態時、加圧部材２は、ばね７，８によって保持部材１から離隔する方向に付勢される。加圧部材２と保持部材１に具備された制限手段１０との間に間隔ｚが生ずる。特に図２が参照に適している。加圧部材２は保持部材１内へこの間隔ｚ分だけ付勢されてはじめて、制限手段１０を押圧可能となる。
【００２９】
ヘアスタイリング器具に髪が挿入されていない状態で保持部材１が閉状態となると、保持部材１は止め部５に当接し、加圧部材２はその表面６で加熱部１２を押圧する。この状態は作動レバー４に作用するばねによって維持される。これは通常ヘアスタイリング器具をしまったり持ち運んだりする状態である。
【００３０】
使用時、保持部材１は開状態となり、加熱部１２と開放された保持部材１の間にスタイリングする髪が置かれる。次に、保持部材１が閉状態となり、上述のように、作動レバー４に連結したばねの弾力によって止め部５に押圧される。閉状態となると、ヘアスタイリング器具に挿入された髪によって加圧部材２は保持部材１の方向へ押し戻され、従って放射方向に移動する。従って、加圧部材２と制限手段１０間の間隔ｚは減少する。これはまた、加圧部材２と加熱部１２間に、挿入された髪が締付られる間隙が生ずることを意味する。
【００３１】
この状態でヘアスタイリング器具に挿入した髪をスタイリング可能である。髪は加熱部１２によって加熱され、加圧部材２によって加熱部１２に押圧される。髪に作用する圧力は２つのばね７，８の弾性率にのみ左右される。止め部５を設けたので、この圧力は保持部材１あるいは作動レバー４に作用するばねに左右されない。保持部材１と加圧部材２のそれぞれの端部に設けられた同一ばね７，８を用いることで、均等な圧力が加圧部材２の全長にわたって髪に付与される。
【００３２】
ここでスタイリングするため髪を加熱胴部１２あるいは保持部材１に巻回可能となる。基本的に、髪がこのようにヘアスタイリング器具に締付られたり押通される時に作用するのは、ばね７，８の弾力のみである。作動レバー４に作用するばねの弾力はほとんど僅少である。また、髪に作用する圧力は基本的に保持部材１に巻回されるの如何を問わない。
【００３３】
髪をあまり多く加熱部と加圧部材２間に配置した場合、保持部材１が閉状態の時に、加圧部材２は完全に保持部材１に押し込まれることになる。従って、間隔ｚが０になるように、加圧部材２は制限手段１０に当接する。これはまた、加熱部と加圧部材２間に最大間隙が生ずることを意味するが、ヘアスタイリング器具に挿入された髪を巻き取るには十分ではない。
【００３４】
過剰な量の髪を挿入すると、保持部材１は作動レバー４に作用するばねの弾力に逆らって止め部５から浮き上がる。これは、ヘアスタイリング器具に髪を多く挿入しすぎたことを使用者に知らせることになるので、使用者はその動作を再び行なうことができる。
【００３５】
ばね７，８の弾性率は同じ大きさであり、加熱部１２に髪を押圧するため所望に応じて選択される。作動レバー４に作用するばねの弾性率は大きく、特にばね７、８の弾性率よりずっと大きく設定される。いずれにせよヘアスタイリング器具に挿入された髪によってまず加圧部材２が保持部材１内に移動し、次に保持部材１が止め部５から浮き上がるように構成するためである。
【図面の簡単な説明】
【図１】  本発明の実施例のヘアスタイリング器具の一部の縦断面図である。
【図２】  図１のＩ−Ｉ面に沿った図１のヘアスタイリング器具の一部の横断面図である。
【図１】
0004187927.tif 000002
【図２】
0004187927.tif 000003